(57)【要約】【課題】放射線像読取装置において、より品質の高い画像データを取得する【解決手段】間隔検出部６０により、放射線像変換パネル１０上の励起光が照射された線状の領域の中心線位置である励起光照射位置Ｊｏと結像光学系３１によって画像用受光部３８上に結像された放射線像変換パネル１０上の線状の領域の中心線位置である被結像中心位置Ｈｏとの間隔ΔＹを検出する。圧電制御部７１で圧電素子７２の伸縮変形を制御して、この間隔ΔＹが小さくなるように圧電素子７２により励起光照射部２０を移動させる。【選択図】          図１
2004287381.tif 000002
【特許請求の範囲】
【請求項１】
主走査方向に延びる線状の励起光を照射する励起光照射手段と、
該励起光の照射を受けて放射線像変換パネルから発生した輝尽発光光を結像させる結像光学系、および該結像光学系を通して結像された前記輝尽発光光を検出して前記放射線像変換パネルに記録された放射線像を表す画像データを取得する線状に並べられた多数の画像用受光部を有するラインセンサからなる画像検出手段と、
該画像検出手段を前記放射線像変換パネルに対して前記主走査方向と交わる副走査方向に相対的に移動させる移動手段とを備えた放射線像読取装置であって、
前記放射線像変換パネル上の前記励起光が照射された位置と前記結像光学系によって前記画像用受光部上に結像された前記放射線像変換パネル上の位置との間隔を検出する間隔検出手段と、該間隔検出手段で検出された間隔に基づいて該間隔が小さくなるように前記励起光照射手段、前記画像検出手段、および前記放射線像変換パネルのうちの少なくとも１つを移動させる間隔調節手段とを備えたことを特徴とする放射線像読取装置。
【請求項２】
主走査方向に延びる線状の励起光を照射する励起光照射手段と、
該励起光の照射を受けて放射線像変換パネルから発生した輝尽発光光を結像させる結像光学系、および該結像光学系を通して結像された前記輝尽発光光を検出して前記放射線像変換パネルに記録された放射線像を表す画像データを取得する線状に並べられた多数の画像用受光部を有するラインセンサからなる画像検出手段と、
該画像検出手段を前記放射線像変換パネルに対して前記主走査方向と交わる副走査方向に相対的に移動させる移動手段とを備えた放射線像読取装置であって、
前記励起光が照射された前記放射線像変換パネル上の位置と前記結像光学系によって前記画像用受光部上に結像された前記放射線像変換パネル上の位置との間隔を検出する間隔検出手段と、前記画像データに対して前記間隔検出手段で検出された間隔に応じた補正を施すデータ補正手段とを備えたことを特徴とする放射線像読取装置。
【請求項３】
前記補正が、前記間隔が大きくなるにしたがって鮮鋭度を向上させる鮮鋭度補正であることを特徴とする請求項２記載の放射線像読取装置。
【請求項４】
前記補正が、シェーディング補正であることを特徴とする請求項２記載の放射線像読取装置。
【請求項５】
前記間隔検出手段が、前記放射線像変換パネル上の前記主走査方向と直交する方向に所定距離隔てた異なる位置をそれぞれ臨む複数の間隔検出用受光部を有し、前記励起光の照射を受けて前記放射線像変換パネル上の前記異なる位置のそれぞれから発せられ前記複数の間隔検出用受光部のそれぞれにより検出された光の光量に基づいて前記間隔を検出するものであることを特徴とする請求項１から４のいずれか１項記載の放射線像読取装置。
【請求項６】
前記放射線像変換パネルが、前記励起光の照射を受けて前記間隔検出手段で検出可能な蛍光を発する蛍光体を該放射線像変換パネルの周縁部分に有するものであり、前記間隔検出用受光部が、前記励起光の照射により前記蛍光体から発せられた蛍光を検出するものであることを特徴とする請求項５記載の放射線像読取装置。
【請求項７】
前記画像用受光部が、前記線状に並べられた多数の画像用受光部の列を複数有するものであって、前記間隔検出用受光部を兼用するものであることを特徴とする請求項５または６記載の放射線像読取装置。
【請求項８】
前記間隔を予め定められ記憶された基準間隔と比較して、前記間隔が前記基準間隔以上となったときに報知信号を出力する報知信号出力手段を備えたことを特徴とする請求項１から７のいずれか１項記載の放射線像読取装置。
【発明の詳細な説明】
【０００１】
【発明の属する技術分野】
本発明は、放射線像読取装置に関し、詳しくは、線状の励起光の照射を受けて放射線像変換パネルから発生した輝尽発光光を結像光学系を通してラインセンサで検出する放射線像読取装置に関するものである。
【０００２】
【従来の技術】
従来より、Ｘ線等の放射線を照射するとこの放射線エネルギの一部を蓄積し、その後、可視光等の励起光を照射するとこの蓄積された放射線エネルギに応じて輝尽発光を示す蓄積性蛍光体（輝尽性蛍光体ともいう）を利用して、人体等の被写体の放射線像を蓄積性蛍光体層に一旦潜像として記録し、この蓄積性蛍光体層にレーザ光等の一定の強度を持つ線状の励起光を照射して輝尽発光光を生じせしめ、この輝尽発光光を結像光学系を通して、線状に並べられた多数の受光部を有するラインセンサで光電的に検出し、被写体の放射線像を表す画像データを取得する放射線像記録装置および放射線像読取装置等からなる放射線像記録再生システムがＣＲ（Ｃｏｍｐｕｔｅｄ  Ｒａｄｉｏｇｒａｐｈｙ）として知られている。
【０００３】
この放射線像記録再生システムに使用される記録媒体としては、基板上に蓄積性蛍光体層を積層して作成した放射線像変換パネルが知られており、励起光の照射を受けて上記放射線像変換パネルから発生した輝尽発光光を上記ラインセンサで検出しつつ、放射線像変換パネルとラインセンサとを相対的に移動させてこの放射線像変換パネルから２次元状の放射線像を表す画像データが取得される。
【０００４】
また、上記放射線像読取装置によって取得された画像データは、放射線像変換パネルへ照射される励起光の照射強度のムラ、放射線像変換パネル上の位置による輝尽発光光の発生特性のムラ、ラインセンサを構成する各受光部の感度のムラ等の影響を受けており、これらの影響を画像データから除去するシェーディング補正の手法が知られている。
【０００５】
このシェーディング補正に用いられるシェーディング補正データは、放射線が一様曝射された放射線像変換パネルへ励起光を照射して発生した輝尽発光光の検出に基づいて作成される。
【０００６】
すなわち、励起光の照射を受けた、放射線が一様曝射された放射線像変換パネルから発生した輝尽発光光の検出によって得られた画像データが示す画像は、いわゆるベタ画像となり、この画像データは上記輝尽発光光の発生特性ムラ、励起光の照射強度ムラ、および受光部の感度ムラ等の影響が重畳されたシェーディングの影響のみを表す画像データとなるので、上記画像データに基づいてシェーディングの影響を除去するためのシェーディング補正データを作成することができる。
【０００７】
上記各ムラは放射線像読取装置毎および放射線像変換パネル毎の固有のムラであり固定的なものなので、特定の放射線像読取装置を使用して特定の放射線像変換パネルから放射線像を読み取る場合には、同一のシェーディング補正データを用いてシェーディング補正を実施することができる（例えば、特許文献１参照）。
【０００８】
【特許文献１】
特開２０００−１３５９９号公報
【０００９】
【発明が解決しようとする課題】
しかしながら、放射線像読取装置の周囲の温度変化や、放射線像変換パネルとラインセンサとを相対的に移動させるときの機械的な誤差等により、放射線像変換パネル上の励起光が照射される位置と、結像光学系によってラインセンサ上に結像される放射線像変換パネル上の位置との間隔が変動することがある。すなわち、上記放射線像変換パネルから放射線像を読み取る度に、あるいは、放射線像変換パネルから輝尽発光光を検出している最中に上記間隔（以後、間隔ΔＹという）が変動することがある。
【００１０】
図７に示すように、紙面に垂直な方向に延びる線状の励起光Ｌｅが照射された放射線像変換パネル１０から発生する輝尽発光光Ｋは、この放射線像変換パネル１０中で散乱され広がって、この放射線像変換パネル１０の表面Ｆの領域Ｄ１から射出され、この輝尽発光光Ｋの光強度は放射線像変換パネル１０上の励起光が照射された線状の領域の中心線位置である励起光照射位置Ｊｏから離れるほど弱くなる光強度分布Ｑを示す。したがって、結像光学系３１によってラインセンサ３２の受光領域に結像された放射線像変換パネル１０上の線状の領域の中心線位置である被結像中心位置Ｈｏが上記励起光照射位置Ｊｏと一致したときにラインセンサ３２で検出される輝尽発光光の光量は最大となり、上記被結像中心位置Ｈｏと励起光照射位置Ｊｏとの間隔ΔＹが増大すると、ラインセンサ３２で検出される輝尽発光光の光量は減少する。
【００１１】
そのため、上記間隔ΔＹが変動するとラインセンサ３２で検出される輝尽発光光の光量にムラが生じ（以後、間隔ΔＹの変動によって生じる光量のムラをΔＹムラという）、このΔＹムラは固定的なムラではないので、放射線が一様曝射された放射線像変換パネルからの輝尽発光光の検出に基づいて作成されたシェーディング補正データを用いた補正が困難となるという問題がある。
【００１２】
本発明は上記事情に鑑みてなされたものであり、ΔＹムラの影響を補正し、これにより、より品質の高い画像データを取得することができる放射線像読取装置を提供することを目的とするものである。
【００１３】
【課題を解決するための手段】
本発明の第１の放射線像読取装置は、主走査方向に延びる線状の励起光を照射する励起光照射手段と、この励起光の照射を受けて放射線像変換パネルから発生した輝尽発光光を結像させる結像光学系、およびこの結像光学系を通して結像された輝尽発光光を検出して放射線像変換パネルに記録された放射線像を表す画像データを取得する線状に並べられた多数の画像用受光部を有するラインセンサからなる画像検出手段と、この画像検出手段を放射線像変換パネルに対して前記主走査方向と交わる副走査方向に相対的に移動させる移動手段とを備えた放射線像読取装置であって、放射線像変換パネル上の励起光が照射された位置と結像光学系によって画像用受光部上に結像された前記放射線像変換パネル上の位置との間隔を検出する間隔検出手段と、間隔検出手段で検出された間隔に基づいてこの間隔が小さくなるように励起光照射手段、画像検出手段、および放射線像変換パネルのうちの少なくとも１つを移動させる間隔調節手段とを備えたことを特徴とするものである。
【００１４】
本発明の第２の放射線像読取装置は、主走査方向に延びる線状の励起光を照射する励起光照射手段と、この励起光の照射を受けて放射線像変換パネルから発生した輝尽発光光を結像させる結像光学系、およびこの結像光学系を通して結像された輝尽発光光を検出して放射線像変換パネルに記録された放射線像を表す画像データを取得する線状に並べられた多数の画像用受光部を有するラインセンサからなる画像検出手段と、この画像検出手段を放射線像変換パネルに対して前記主走査方向と交わる副走査方向に相対的に移動させる移動手段とを備えた放射線像読取装置であって、励起光が照射された放射線像変換パネル上の位置と結像光学系によって画像用受光部上に結像された放射線像変換パネル上の位置との間隔を検出する間隔検出手段と、前記画像データに対して間隔検出手段で検出された間隔に応じた補正を施すデータ補正手段とを備えたことを特徴とするものである。
【００１５】
なお、前記「間隔を検出する」には、この間隔を直接検出する場合に限らず、間隔を間接的に検出する場合も含まれる。
【００１６】
前記補正は、間隔が大きくなるにしたがって鮮鋭度を向上させる鮮鋭度補正や、シェーディング補正とすることができる。
【００１７】
前記間隔検出手段は、放射線像変換パネル上の前記主走査方向と直交する方向に所定距離隔てた異なる位置をそれぞれ臨む複数の間隔検出用受光部を有し、励起光の照射を受けて放射線像変換パネル上の上記異なる位置のそれぞれから発せられ上記複数の間隔検出用受光部のそれぞれにより検出された光の光量に基づいて上記間隔を検出するものとすることができる。なお、複数の間隔検出用受光部それぞれに放射線像変換パネル上の前記所定距離隔てた異なる位置の像が実質的に結像される場合に、複数の間隔検出用受光部それぞれが前記所定距離隔てた異なる位置を臨むと言う。
【００１８】
前記放射線像変換パネルが、励起光の照射を受けて間隔検出手段で検出可能な蛍光を発する蛍光体をこの放射線像変換パネルの周縁部分に有するものであり、間隔検出用受光部が、励起光の照射により上記蛍光体から発せられた蛍光を検出するものとすることができる。また、前記間隔検出用受光部は、励起光の照射により放射線像変換パネルから発生した輝尽発光光、あるいは放射線像変換パネルで反射された励起光を検出するものとすることができる。
【００１９】
前記画像用受光部は、線状に並べられた多数の画像用受光部の列を複数有するものであって、放射線像変換パネル上の所定距離隔てた異なる位置をそれぞれ臨むこの画像用受光部の複数の列が前記複数の間隔検出用受光部と同等の役割を果たすことにより該間隔検出用受光部を兼用するものとすることができる。
【００２０】
前記放射線像読取装置は、前記間隔を予め定められ記憶された基準間隔と比較して、この間隔が上記基準間隔以上となったときに報知信号を出力する報知信号出力手段を備えることができる。
【００２１】
前記間隔検出手段によって検出する間隔は、例えば、放射線像変換パネル上の励起光が照射された線状の領域の中心線位置と結像光学系によって画像用受光部上に結像された放射線像変換パネル上の線状の領域の中心線位置との間隔とすることができる。
【００２２】
前記間隔調節手段により実施する励起光照射手段、画像検出手段、および放射線像変換パネルのうちの少なくとも１つの移動は、間隔検出手段で検出された間隔に基づいて、間隔調節手段を手動操作することにより実施することもできる。
【００２３】
【発明の効果】
本発明の第１の放射線像読取装置は、放射線像変換パネル上の励起光が照射された位置と結像光学系によって画像用受光部上に結像された放射線像変換パネル上の位置との間隔を検出する間隔検出手段と、間隔検出手段で検出された間隔に基づいて上記間隔が小さくなるように励起光照射手段、画像検出手段、および放射線像変換パネルのうちの少なくとも１つを移動させる間隔調節手段とを備えているので、放射線像変換パネルから輝尽発光光を検出するときの間隔ΔＹの変動を小さく抑えることができ、ΔＹムラの影響が抑制されたより品質の高い画像データを取得することができる。
【００２４】
本発明の第２の放射線像読取装置は、励起光が照射された放射線像変換パネル上の位置と結像光学系によって画像用受光部上に結像された放射線像変換パネル上の位置との間隔を検出する間隔検出手段と、画像データに対して間隔検出手段で検出された間隔に応じた補正を施すデータ補正手段とを備えているので、放射線像変換パネルから輝尽発光光を検出するときに間隔ΔＹが変動しても、この間隔ΔＹの変動の影響を補正することができ、ΔＹムラの影響が抑制された品質の高い画像データを取得することができる。
【００２５】
また、間隔検出手段を、放射線像変換パネル上の上記主走査方向と直交する方向に所定距離隔てた異なる位置をそれぞれ臨む複数の間隔検出用受光部を有し、励起光の照射を受けて放射線像変換パネル上の上記異なる位置のそれぞれから発せられ上記複数の間隔検出用受光部のそれぞれにより検出された光の光量に基づいて間隔ΔＹを検出するものとすれば、間隔ΔＹの変動をより容易に検出することができ、ΔＹムラの影響の補正をより容易に実施することができる。
【００２６】
さらに、放射線像変換パネルを、励起光の照射を受けて間隔検出手段で検出可能な蛍光を発する蛍光体をこの放射線像変換パネルの周縁部分に有するものとし、間隔検出用受光部を、励起光の照射により蛍光体から発せられた蛍光を検出するものとすれば、間隔ΔＹの変動をより確実に検出することができ、ΔＹムラの影響をより正確に補正することができる。
【００２７】
また、上記画像用受光部を、線状に並べられた多数の画像用受光部の列を複数有するものとし、間隔検出用受光部を兼用するものとすれば、間隔ΔＹの変動をさらに容易に検出することができる。
【００２８】
【発明の実施の形態】
以下、本発明の実施の形態について、図面を用いて説明する。図１は本発明の第１の実施の形態による放射線像読取装置の概略構成を示す斜視図、図２は励起光照射部および画像検出部を示す拡大側面図、図３は励起光照射部および間隔検出部を示す拡大側面図、図４は励起光照射位置と被結像中心位置とが一致している場合を示す側面図、図５は励起光照射位置と被結像中心位置とが離れている場合を示す側面図である。
【００２９】
本発明の第１の実施の形態による放射線像読取装置は、主走査方向（図中矢印Ｘ方向、以後主走査Ｘ方向という）に延びる線状の励起光を照射する励起光照射部２０と、励起光の照射を受けて放射線像変換パネル１０から発生した輝尽発光光を結像させる結像光学系３１および結像光学系３１を通して結像された輝尽発光光を検出して放射線像変換パネル１０に記録された放射線像を表す画像データを取得する主走査Ｘ方向に線状に並べられた多数の画像用受光部３８を有するラインセンサ３２からなる画像検出部３０と、画像検出部３０を放射線像変換パネル１０に対して主走査方向と直交する副走査方向（図中矢印Ｙ方向、以後副走査Ｙ方向という）に相対的に移動させる移動手段５０と、放射線像変換パネル１０上の励起光が照射された線状の領域の中心線位置である励起光照射位置Ｊｏと結像光学系３１によって画像用受光部３８上に結像された放射線像変換パネル１０上の線状の領域の中心線位置である被結像中心位置Ｈｏとの間隔ΔＹを検出する間隔検出部６０と、間隔検出手段６０で検出された間隔ΔＹに基づいてこの間隔ΔＹが小さくなるように励起光照射部２０を移動させる間隔調節手段である間隔調節部７０とを備えている。
【００３０】
図３に示すように、間隔検出部６０は、放射線像変換パネル１０上の主走査Ｘ方向と直交する副走査Ｙ方向に所定距離隔てた異なる位置をそれぞれ臨む２つの間隔検出用受光部６２Ａ，６２Ｂを有し、励起光の照射を受けて放射線像変換パネル１０上の所定距離隔てた異なる位置である臨み位置Ｐａ、Ｐｂのそれぞれから発せられ間隔検出用受光部６２Ａ，６２Ｂのそれぞれにより検出された光の光量に基づいて間隔ΔＹを検出する。
【００３１】
この放射線像読取装置は、さらに、予め定められ記憶された基準間隔Ｗと間隔ΔＹとを比較して、間隔ΔＹが基準間隔Ｗ以上となったときに報知信号Ｈｃを出力する報知信号出力手段７５を備えている。
【００３２】
励起光照射部２０は、励起光Ｌｅを射出する複数の半導体レーザが主走査Ｘ方向に並べられた励起光光源であるＬＤ光源２１、およびＬＤ光源２１から射出された励起光Ｌｅを放射線像変換パネル１０上の主走査Ｘ方向に延びる線状領域に集光させるシリンドリカルレンズ２２等から構成されている。
【００３３】
画像検出部３０は、上記結像光学系３１およびラインセンサ３２の他に、放射線像変換パネル１０とラインセンサ３２との間に配置された、輝尽発光光を透過させ励起光を遮断する励起光カットフィルタ３３を有し、ラインセンサ３２は主走査方向に線状に並べられた多数の画像用受光部３８の列を複数、すなわち画像用受光部列３８Ａ、３８Ｂを有する（図２参照）。
【００３４】
なお、結像レンズ３１は主走査Ｘ方向に並べられた多数の屈折率分布型レンズ等からなるものであり、ラインセンサ３２は、上記結像レンズ３１を通して結像された輝尽発光光を画像用受光部列３８Ａ、３８Ｂで光電変換した信号を増幅しＡ／Ｄ変換してデジタル値からなる画像データＧ１を出力する画像読出部３９を有している。
【００３５】
励起光照射部２０と画像検出部３０とは一体化されて読取ユニット４０を構成しており、この一体化された読取ユニット４０は、搬送部５０によって上記副走査Ｙ方向に搬送される。
【００３６】
間隔検出部６０は、上記間隔検出用受光部６２Ａ，６２Ｂの他に、臨み位置Ｐａおよび臨み位置Ｐｂを間隔検出用受光部６２Ａ上および間隔検出用受光部６２Ｂ上にそれぞれ結像する結像光学系６１と、放射線像変換パネル１０と間隔検出用受光部６２Ａ，６２Ｂとの間に配置された、輝尽発光光を透過させ励起光を遮断する励起光カットフィルタ６３と、間隔検出用受光部６２Ａ，６２Ｂで光電変換された信号を増幅しＡ／Ｄ変換してデジタル値からなるデータとして出力する読出部６９と、間隔検出用受光部６２Ａ，６２Ｂのそれぞれにより検出され読出部６９から出力された光の光量を示すデータに基づいて間隔ΔＹを求めその値を示すΔＹ信号を出力するΔＹ信号出力部６５とを有する。また、この間隔検出部６０は画像検出部３０と一体的に配設されている。なお、臨み位置Ｐａと臨み位置Ｐｂとは、被結像中心位置Ｈｏを間に挟んだ両側に配置され、臨み位置Ｐａが被結像中心位置Ｈｏの副走査Ｙ方向における＋側、すなわち副走査＋Ｙ方向の側に位置し、臨み位置Ｐｂが被結像中心位置Ｈｏの副走査Ｙ方向における−側、すなわち副走査−Ｙ方向の側に位置する。
【００３７】
間隔調節部７０は、自身の伸縮変形により励起光照射部２０を移動させる圧電素子７２と、圧電素子７１の伸縮変形を制御する圧電素子制御部７１とを有し、間隔検出部６０から上記ΔＹ信号を入力た圧電素子制御部７１が上記間隔ΔＹが小さくなるように圧電素子７１を伸縮させて励起光照射部２０の位置を移動させる。
【００３８】
次に上記実施の形態における作用について説明する。
【００３９】
励起光照射部２０から射出された励起光Ｌｅは放射線像変換パネル１０上の励起光照射位置Ｊｏに線状に集光される。励起光照射位置Ｊｏへの励起光Ｌｅの照射を受けて放射線像変換パネル１０から発生した輝尽発光光は結像レンズ３１および励起光カットフィルタ３３を通してラインセンサ３２上に結像され、この結像された輝尽発光光が画像用受光部列３８Ａ、３８Ｂによって検出される。
【００４０】
上記励起光照射部２０による励起光Ｌｅの照射と画像検出部３０による輝尽発光光の検出を実行しながら、励起光照射部２０と画像検出部３０とを一体化してなる読取ユニット４０が搬送部５０によって副走査Ｙ方向へ搬送されて、放射線像変換パネル１０に記録された放射線像を表す２次元状の画像データが画像検出部３０出力される。
【００４１】
ここで、間隔検出部６０によって間隔ΔＹを検出する場合、および間隔調節部７０により間隔ΔＹが小さくなるように、励起光照射部２０の位置を移動させる場合について説明する。
【００４２】
間隔検出部６０は、励起光の照射を受けて放射線像変換パネル１０上の臨み位置Ｐａから発せられた輝尽発光光を間隔検出用受光部６２Ａで検出してこの輝尽発光光の光量Ｅａを表すデータを得るとともに、上記励起光の照射を受けて放射線像変換パネル１０上の臨み位置Ｐｂから発せられた輝尽発光光を間隔検出用受光部６２Ｂで検出してこの輝尽発光光の光量Ｅｂを表すデータを得る。
【００４３】
ここで、図４に示すように、励起光Ｌｅが照射された放射線像変換パネル１０から発生する輝尽発光光Ｋは、この放射線像変換パネル１０中で散乱されて広がり、この放射線像変換パネル１０の表面Ｆの領域Ｄ２から射出され、この輝尽発光光Ｋの光強度は励起光照射位置Ｊｏから離れるほど弱くなる光強度分布Ｑを示す。そして、励起光照射位置Ｊｏと被結像中心位置Ｈｏとが一致している場合、すなわち、間隔ΔＹ＝０となっている場合には、臨み位置Ｐａと臨み位置Ｐｂとから発生する輝尽発光光の光量は等しくなり、上記データが表す光量Ｅａと光量Ｅｂとが等しくなる。そして、間隔検出部６０から出力される上記間隔ΔＹを示すΔＹ信号は値０を示すものとなる。
【００４４】
他方、図５に示すように、例えば、装置の熱変形や、読取ユニット４０を搬送部５０によって搬送するときの機械的な誤差等により、被結像中心位置Ｈｏが＋Ｙ方向に向けて励起光照射位置Ｊｏから離れた場合には、臨み位置Ｐａから発生する輝尽発光光の光量は臨み位置Ｐｂから発生する輝尽発光光の光量より小さくなり、光量Ｅｂ＞光量Ｅａとなる。そして、間隔検出部６０から出力されるΔＹ信号は０より大きな値を示すものとなる。すなわち、臨み位置Ｐａと臨み位置Ｐｂとから発生する輝尽発光光の検出によって得られたデータが表す光量Ｅａと光量Ｅｂとに基づいて被結像中心位置Ｈｏと励起光照射位置Ｊｏとの間隔を示すデータであるΔＹ信号が作成される。
【００４５】
なお、上記励起光Ｌｅの照射により放射線像変換パネル１０から発生した輝尽発光光Ｋは領域Ｄ２に広がって放射線像変換パネル１０から射出されるが、この領域Ｄ２から射出される輝尽発光光Ｋは放射線像変換パネル１０に記録された放射線像における副走査Ｙ方向における１点の画像情報を示すものであり、領域Ｄ２の中心部分で検出された輝尽発光光と領域Ｄ２の周辺部分で検出された輝尽発光光とは同一の画像情報を示す。
【００４６】
上記間隔ΔＹの値０を示すΔＹ信号を入力した圧電素子制御部７１は、励起光照射部２０の位置を移動させることなく、励起光照射位置Ｈｏは移動しない。他方、圧電素子制御部７１が、間隔検出部６０から０より大きな値を示すΔＹ信号を入力すると、上記間隔ΔＹが０に近づくように圧電素子７１を制御し、励起光照射位置Ｊｏが＋Ｙ方向に移動するように励起光照射部２０の位置を移動させ、間隔ΔＹを０に近づける。
【００４７】
上記間隔ΔＹを０に近づける作用により、ΔＹムラの影響を抑制することができ、より品質の高い画像データを取得することができる。
【００４８】
なお、報知信号出力手段７５は、上記ΔＹ信号を入力し、ΔＹ信号で示される間隔ΔＹが予めこの報知信号出力手段７５に記憶された基準間隔Ｗを示す値以上となったときに報知信号Ｈｃを出力する。
【００４９】
また、上記実施の形態においては、間隔検出部６０が輝尽発光光を検出するものとしたが、励起光の照射を受けて間隔検出部６０で検出可能な蛍光を発する蛍光体をこの放射線像変換パネル１０上の周縁部分である間隔検出用受光部６２Ａ，６２Ｂが上記輝尽発光光の検出中に臨む放射線像変換パネル１０上の領域Ｒに配置し（図１参照）、励起光の照射により上記蛍光体から発せられた蛍光の間隔検出用受光部６２Ａ，６２Ｂによる検出に基づいて上記間隔ΔＹを示す値を得るようにしてもよい。
【００５０】
なお、間隔検出部６０で検出された間隔に基づいてこの間隔が小さくなるように間隔調節部７０により実施する上記各部の移動は、間隔検出部６０で検出された間隔に基づいて、圧電素子制御部７１を手動操作することにより実施してもよい。例えば、この装置のメンテナンスを担当するサービスマンが間隔検出部６０で検出され表示された上記間隔ΔＹを示す情報に基づいて、この間隔ΔＹが小さくなるように圧電素子制御部７１を手動操作するようにしてもよい。
【００５１】
また、間隔検出部６０を、上記励起光カットフィルタ６３を薄くしたり、あるいは取り除いたりしたものとし、励起光の照射を受けた放射線像変換パネル１０から反射された励起光を間隔検出用受光部６２Ａ，６２Ｂで検出して上記間隔ΔＹを示す値を得るようにしてもよい。
【００５２】
また、ラインセンサ３２の端部に位置する画像用受光部３２Ａ、３２Ｂで間隔検出用受光部６２Ａ，６２Ｂを兼用するようにしてもよい。この場合、結像光学系３１が結像光学系６１を、励起光カットフィルタ３３が励起光カットフィルタ６３を兼用するものとなり、上記ラインセンサ３２の端部に位置する画像用受光部３２Ａ、３２Ｂで光電変換され画像読出部３９から出力されたデータがΔＹ信号出力部６５に入力される構成とすることができる。
【００５３】
なお、間隔調節部７０は、励起光照射部２０のみを移動させる場合に限らず、励起光照射部２０、画像検出部３０、および放射線像変換パネル１０のうちの少なくとも１つを移動させるようにすることができる。すなわち、圧電素子制御部７１が、画像検出部３０を副走査Ｙ方向に移動させる圧電素子７３を制御して間隔ΔＹが小さくなるようにしたり、あるいは放射線像変換パネル１０を主走査Ｘ方向および副走査Ｙ方向に直交するＺ方向（図中矢印Ｚで示す）に移動させる圧電素子７４を制御して間隔ΔＹが小さくなるようにすることができる（図２、図３参照）。さらに、励起光照射部２０と画像検出部３０とを一体化してなる読取ユニット４０を上記Ｚ方向に移動させて間隔ΔＹを小さくするように調節することもできる。
【００５４】
なお、画像検出部３０を間隔ΔＹが小さくなるように移動させるときには、画像検出部３０の全体を移動させる場合に限らず、例えば、結像光学系のみ、あるいはラインセンサのみを移動させるようにしてもよい。
【００５５】
図６は本発明の第２の実施の形態の放射線像読取装置の概略構成を示す斜視図である。第２の実施の形態の放射線像読取装置は、画像検出部で取得された画像データに対して補正を施すデータ補正部を上記間隔調節部の代わりに備えたものであり、その他は第１の実施の形態と同様の構成からなる。以下、第１の実施の形態の放射線像読取装置と同様の構成については同じ符号を使用し説明を省略する。
【００５６】
図６に示すように第２の実施の形態の放射線像読取装置は、画像検出部３０で取得された画像データに対して、間隔検出部６０で検出された間隔に応じた補正を施すデータ補正部８０を備えている。
【００５７】
データ補正部８０は、間隔ΔＹの値に応じて選択された鮮鋭度補正データを用いて、間隔ΔＹが大きくなるにしたがって鮮鋭度を向上させる補正を画像データに対して施す鮮鋭度補正部８１と、間隔ΔＹの値に応じて選択されたシェーディング補正データを用いて画像データに対してシェーディング補正を施すシェーディング補正部８２と、間隔ΔＹの値に応じて選択された漏れ光補正データを用いて画像データに対して漏れ光補正を施す漏れ光補正部８３とを有している。
【００５８】
なお、上記漏れ光補正は、画像検出部３０によって取得された画像データに含まれる赤外光成分、すなわち励起光の照射を受けて放射線像変換パネル１０や結像光学系３１等から発生した赤外光成分の影響をこの画像データから除去するものである。
【００５９】
また、鮮鋭度補正部８１、シェーディング補正部８２、および漏れ光補正部８３によって実施される補正は、間隔ΔＹの２０μｍの変化毎に段階的に各補正用のデータが切り換えられてそれぞれの補正が実行されるものである。
【００６０】
すなわち例えば、−５０μｍ＜間隔ΔＹ≦−３０μｍ、−３０μｍ＜間隔ΔＹ≦−１０μｍ、−１０μｍ＜間隔ΔＹ≦＋１０μｍ、＋１０μｍ＜間隔ΔＹ≦＋３０μｍ、＋３０μｍ＜間隔ΔＹ≦＋５０μｍの各段階において補正用のデータが切り換えられる。ただし、上記切り換えがばたつくことがないように、切り換え動作にはヒステリシスを持たせてある。
【００６１】
次に上記データ補正部８０により画像データを補正する場合について説明する。
【００６２】
データ補正部８０は、上記間隔検出部６０で検出された間隔ΔＹの値を示すΔＹ信号を入力する。
【００６３】
ここで、放射線像変換パネル１０上の端部の輝尽発光光の検出開始位置となる副走査位置Ｙ０から輝尽発光光の検出開始後の位置である副走査位置Ｙ１まではΔＹ信号が示す間隔ΔＹが−１０μｍ＜間隔ΔＹ≦＋１０μｍであり、副走査位置Ｙ１から副走査位置Ｙ２まではΔＹ信号が示す間隔ΔＹが＋１０μｍ＜間隔ΔＹ≦＋３０μｍであり、副走査位置Ｙ２から副走査位置Ｙ３まではΔＹ信号が示す間隔ΔＹが＋３０μｍ＜間隔ΔＹ≦＋５０μｍであったとする。
【００６４】
データ補正部８０は、間隔検出部６０で検出された間隔ΔＹを示す上記値に応じた上記各段階それぞれにおいて、適切な補正データ（鮮鋭度補データ、シェーディング補正データ、および漏れ光補データ）を選択し、鮮鋭度補正部８１、シェーディング補正部８２、および漏れ光補正部８３それぞれが上記選択された各補正データを用いて、画像検出部３０で取得された画像データＧ１に対して補正を実施する。このようにしてデータ補正部８０から上記間隔ΔＹに応じて補正が施された画像データＧ２が出力される。
【００６５】
なお、上記各段階それぞれにおける鮮鋭度補データ、シェーディング補正データ、および漏れ光補データは予め作成されデータ補正部８０に記憶されている。
【００６６】
上記のことにより、ΔＹムラの影響を補正することができ、より品質の高い画像データを取得することができる。
【００６７】
なお、間隔検出部は、２つの間隔検出用受光部を有する場合に限らず、複数の間隔検出用受光部を有するものであればよい。また、上記受光部はＣＣＤ素子やＣＭＯＳ素子とすることができる。
【００６８】
なお、ΔＹ信号出力部６５は、読出部６９から出力された、上記輝尽発光光の検出により得られたデータの高周波成分を除いてから間隔ΔＹの値を求めるようにしてもよい。また、このΔＹ信号出力部６５は、間隔検出用受光部６２Ａ，６２Ｂで光電変換された信号が非常に小さな値を示すものとなったり、この信号が飽和した場合には、適正な信号レベルであった最後の値を上記非常に小さな値あるいは飽和した値の代わりに用いて間隔ΔＹを示す値を求めるようにしてもよい。
【００６９】
また、上記励起光照射位置Ｊｏと被結像中心位置Ｈｏとの間隔ΔＹは、上記のように間隔検出用受光部を用いて検出する場合に限らず、どのような手法で検出してもよい。
【００７０】
また、データ補正部で実施される間隔ΔＹに応じた補正は、上記鮮鋭度補正、シェーディング補正、および漏れ光補正に限らずどのような補正を実施してもよい。
【００７１】
なお、副走査方向は主走査方向と直交する場合に限らず、主走査方向と交わる方向であればよい。
【００７２】
また、放射線像変換パネル上の励起光が照射された位置は、放射線像変換パネル上の励起光が照射された線状の領域の中心線位置に限るものではない。また、結像光学系によって画像用受光部上に結像された放射線像変換パネル上の位置は、結像光学系によって画像用受光部上に結像された放射線像変換パネルの線状の領域の中心線位置に限るものではない。
【００７３】
以下、上記放射線像読取装置（以後、スキャナヘッドともいう）を搭載した放射線画像撮影読取装置（以後、撮影読取装置という）について説明する。図８は上記撮影読取装置の全体構成を示す図であり、図８（ａ）は正面図、図８（ｂ）は平面図、図８（ｃ）は左側面図、図８（ｄ）は右側面図である。図９から図１２は後述する撮影読取ユニットの内部構造を示す図であり、図９はイメージングプレートが撮影位置に位置している場合を示す斜視図、図１０はイメージングプレートが読取位置に位置している場合を示す斜視図、図１１はイメージングプレートに記録された画像情報を読み取る場合を示す斜視図、図１２はイメージングプレートを取り外したときの内部構造を示す斜視図である。
【００７４】
図示の撮影読取装置２００は、病院等でＸ線診断を行う際に胸部等のＸ線デジタル画像（放射線画像ともいう）を取得するための装置である。この画像撮影読取装置２００は、上下方向（図中矢印Ｙ方向）に移動可能な上記本発明の放射線像読取装置を搭載した撮影読取ユニット２０１を備えている。
【００７５】
＜撮影読取ユニットの基本動作およびスキャナヘッドの配置＞
撮影読取ユニット２０１は、平面性が高精度に維持されるように図中ＸＹ平面に平行に配置されている放射線像変換パネルであるイメージングプレート２１０と、このイメージングプレート２１０を図中Ｚ方向に移動させ、このイメージングプレート２１０を撮影位置と読取り位置の各々の基準位置へ精度良く配置するＩＰ位置変更機構２２０と、イメージングプレート２１０から発生した輝尽発光光を検出する画像検出部および後述する励起光を照射する励起光照射部で構成されている読取ユニットであるスキャナヘッド２３０と、放射線画像情報が読み取られた後にイメージングプレート２１０中に残る残像を消去する消去光を発する消去ヘッド２４０と、スキャナヘッド２３０および消去ヘッド２４０を上記Ｙ方向に精密に搬送するための副走査機構２５０とを有しており、これらが上記撮影部ユニット２０１を構成する一つの筐体２０５内に収められている。
【００７６】
撮影読取装置２００が撮影待機状態のときには、イメージングプレート２１０は上記筐体２０５中における図中矢印＋Ｚ方向の側の撮影位置に位置し（図９参照）、この撮影位置においてイメージングプレート２１０にＸ線が爆射されてＸ線撮影が実施される。撮影後、この撮影読取ユニット２０１に撮影終了信号が入力されると、イメージングプレート２１０は上記筐体２０５中における図中矢印−Ｚ方向の側の読取位置へ移動する（図１０参照）。
【００７７】
イメージングプレート２１０が上記撮影位置にあるとき、およびイメージングプレート２１０が上記撮影位置から読取位置へ移動したときには、消去ヘッド２４０およびスキャナヘッド２３０は筐体２０５中における図中矢印−Ｙ方向の側のホームポジションに位置しているが、Ｘ線撮影後に、消去ヘッド２４０とスキャナヘッド２３０とは相対的な位置関係を一定に保ちながら副走査機構２５０により図中矢印＋Ｙ方向に精密搬送される（図１１参照）。このとき、スキャナヘッド２３０は、このスキャナヘッド２３０が備える上記励起光照射部が有するレーザダイオード（以後、ＬＤという）のすべてを発光させて、イメージングプレート２１０上に上記矢印Ｘ方向に線状に延びる励起光であるラインビームを形成した状態でこのイメージングプレート２１０上を上記矢印＋Ｙ方向へ走査する。イメージグプレート２１０上へのラインビームの照射により、イメージングプレート２１０中の蓄積性蛍光体が励起されて、上記Ｘ線撮影でイメージングプレート２１０中に記録された放射線像を示す情報（潜像情報）が輝尽発光光として発光し、この輝尽発光光がスキャナヘッド２３０内の後述するＣＣＤラインセンサを有する画像検出部で検出され、上記潜像情報が読み取られる。上記スキャナヘッド２３０により上記潜像情報を読み取った後にイメージングプレート２１０中に上記潜像情報の一部（Ｘ線残像）が残るケースが多いため、スキャナヘッド２３０および消去ヘッド２４０が副走査機構２５０により図中矢印−Ｙ方向にへ下降し上記ホームポジションヘ移動しながらの消去ヘッド２４０による消去光の照射によりイメージングプレート２１０中の上記潜像情報が消去される。
【００７８】
なお、上記撮影位置から読取位置へ向けてイメージングプレート２１０が−Ｚ方向へ移動したときの、このイメージングプレート２１０の上記Ｚ方向における読取位置への位置決めは、ＩＰ位置決め部２６０によって成される。
【００７９】
＜ＩＰ位置決め部の構成および動作＞
図１３はＩＰ位置決め部の概略構成を示す側面図、図１４は他のＩＰ位置決め部の概略構成を示す側面図である。
【００８０】
図１３および図１２に示すように、このＩＰ位置決め部２６０は、撮影読取ユニット２０１のベースフレーム２０２に固定された固定部材２６１と、この固定部材２６１にビス２６４で固定された位置決め部材２６２と、位置決め部材２６２に配設された上記イメージングプレート２１０が−Ｚ方向へ移動したときにこのイメージングプレート２１０に当て付くストッパベアリング２６６と、位置決め部材２６２をＺ方向に移動させてストッパベアリング２６６の位置を±Ｚ方向に変更する位置変更ビス２６５とを備えている。このストッパベアリング２６６は、イメージングプレート２１０が−Ｚ方向へ移動したときにこのストッパベアリング２６６がイメージングプレート２１０の−Ｚ方向の側の面に当て付いて、イメージングプレート２１０のＺ方向の位置を定めるものである。また、ビス２６４による固定部材２６１への位置決め部材２６２の固定は両部材の間にスペーサ２６３を介して実施している。
【００８１】
ここで、位置変更ビス２６５は、位置決め部材２６２中を上記Ｚ方向に通る雌ネジに螺合されている。位置変更ビス２６５の回転によりその先端２６５Ａは上記−Ｚ方向に前進し固定部材２６１に突き当り、さらに先端２６５Ａを上記−Ｚ方向に前進させると、位置決め部材２６２が固定部材２６１に対して＋Ｚ方向に移動する。この状態で位置変更ビス２６５を逆転させることにより位置決め部材２６２が固定部材２６１に対して−Ｚ方向に移動する。したがって、位置変更ビス２６５の回転で、位置決め部材２６２に配設されたストッパベアリング２６６のＺ方向の位置を調節することができる。これにより、イメージングプレート２１０が読取位置へ位置するときのＺ方向の位置調節を行なうことができる。
【００８２】
図１４に上記とは構成の異なるＩＰ位置決め部２７０の概略構成を示す。このＩＰ位置決め部２７０は、撮影読取ユニット２０１のベースフレーム２０２に固定された固定部材２７１と、この固定部材２７１に対向するように上記ベースフレーム２０２に固定された対向固定部材２７３と、固定部材２７１と対向固定部材２７３の間に配置され、ベースフレーム２０２に固定された上記Ｘ方向に軸が延びるピン２７５の回りに回転可能な位置決め部材２７４と、位置決め部材２７４に配設されている上記イメージングプレート２１０が−Ｚ方向へ移動したときにこのイメージングプレート２１０に当て付くストッパベアリング２７６と、一端が固定部材２７１に固定され、他端が位置決め部材２７４を＋Ｚ方向に押圧する、バネ等の弾性部材からなる弾性体２７２と、対向固定部材２７３と位置決め部材２７４との間に挿入され、位置決め部材２７４をピン２７５の回りに回転させてストッパベアリング２７６の位置を±Ｚ方向に変更する位置変更楔２７７とを備えている。ストッパベアリング２７６は、イメージングプレート２１０が−Ｚ方向へ移動したときにこのストッパベアリング２７６がイメージングプレート２１０の−Ｚ方向の側の面に当て付いて、イメージングプレート２１０のＺ方向の位置を定めるものである。
【００８３】
ここで、位置変更楔２７７を、対向固定部材２７３と位置決め部材２７４との間に挿入し、この位置決め部材２７４を＋Ｙ方向に移動させることにより、位置決め部材２７４がピン２７５の回りに回転して対向固定部材２７３と位置決め部材２７４との間隔が広がる（位置決め部材２７４が−Ｚ方向へ移動する）。この状態で、位置変更楔２７７を、対向固定部材２７３と位置決め部材２７４との間から抜く方向である−Ｙ方向に移動させることにより、対向固定部材２７３と位置決め部材２７４との間隔が狭まる（位置決め部材２７４が＋Ｚ方向へ移動する）。したがって、上記位置変更楔２７７の±Ｙ方向への移動により位置決め部材２７４に配設されたストッパベアリング２７６のＺ方向の位置を調節することができる。これにより、イメージングプレート２１０が読取位置へ位置するときのＺ方向の位置調節を行なうことができる。
【００８４】
上記イメージングプレート２１０のＺ方向の位置調節はサービスマン等が手動で調節を行なうこともでき、これにより、上記励起光照射部がイメージングプレート２１０上に励起光を照射する位置と上記画像検出部が臨む被結像中心位置との間隔ΔＹを間接的に調節することができる。
【００８５】
＜スキャナヘッドの構成および動作＞
図１５はスキャナヘッドの概略構成を示す斜視図、図１６は上記スキャナヘッドから回路基板カバー等を取り外した状態を示す斜視図である。
【００８６】
図中の部材３０１、部材３０２および部材３０３は、このスキャナヘッド２３０に対して上記＋Ｙ方向の側に配置されている消去ヘッド２４０が有する金属製の部品であり、スキャナヘッド２３０の部材３０４、部材３０５および部材３０６とビス等で連結され、これらの部材を通して両者が電気的に接続され接地されている。
【００８７】
上記部材３０４、部材３０５、および部材３０６が、部材３０１、部材３０２、および部材３０３のそれぞれと共通化されていないのは、消去ヘッド２４０とスキャナヘッド２３０との位置関係によって生じる累積誤差を吸収し、消去ヘッド２４０の位置とスキャナヘッド２３０の位置とをそれぞれ個別に調整できるようにしているためである。なお、上記消去ヘッド２４０とスキャナヘッド２３０との上記接続は電気的接地を行うことが主目的である。
【００８８】
この図中の回路基板カバー３０７は、図１６におけるＣＣＤ親基板３０８への放射ノイズの影響を防止するとともに、このＣＣＤ親基板３０８を外部から遮断し保護する役割も兼ねている。この回路基板カバー３０７は、上述のＣＣＤ親基板３０８を締結しているビスで、図１６に示すＣＣＤ親基板用ブラケット３０９）に共締めしているが、上記ＣＣＤ親基板３０８を締結している全てのビスで共締めしているわけではなく、一部のビスで締結している。
【００８９】
詳細は後述するが、この励起光照射部と画像検出部とから構成されているスキャナヘッド２３０の画像検出部には線状に並ぶ多数の受光部を有するＣＣＤラインセンサが千鳥状に５つ配置されており、図１６中のＣＣＤ親基板３０８はこれら５つのＣＣＤラインセンサを駆動するとともに、ＣＣＤラインセンサからの出力信号を受けて画像信号を出力するためのものである。
【００９０】
上記５つのＣＣＤラインセンサは、図中の１０枚のＦＦＣケーブル３１３と連結されているが、各ＦＦＣケーブル３１３の経路は、それぞれフェライトコア３１２（星和電機製のフェライトコアＥ０４ＦＡ３１０２８０１２０）を通っており、放射ノイズの影響を低減している。これらのフェライトコア３１２は、適宜、実装状態に応じた電磁シールド対策で代替しても構わない。
【００９１】
図中のＬＤ回路基板３１０は２４個のＬＤを駆動し制御するための回路基板であるが、これはＬＤ基板用ブラケット３１１に複数のビスで締結されている。なお、このＬＤ駆動基板３１０は、上記消去ヘッド２４０と電気的に接地されている部材３０４、部材３０５、および部材３０６とは絶縁されており、ＧＮＤノイズが十分にクリーンな常態に保つように工夫されている。
【００９２】
ここで、ＬＤ回路基板３１０のＬＤ基板用ブラケット３１１への締結について説明する。図１７（ａ）は締結前のプッシュリベットを示す図、図１７（ｂ）はプッシュリベットによりＬＤ回路基板をＬＤ基板用ブラケットへ締結した状態を示す断面図、図１７（ｃ）はＰＥＴ材質等絶縁部材を示す図、図１８は他の締結手法を示す断面図である。
【００９３】
上記締結手法であるが、例えば、プッシュリベット３１４を用いて、ＣＣＤ親基板用ブラケット３０９とＬＤ基板用ブラケット３１１との間にリベット差込用の孔を空けたＰＥＴ材質等絶縁部材３３１を貼り付けて、すなわち、両面テープ等でＣＣＤ親基板用ブラケット３０９側の表面、あるいはＬＤ基板用ブラケット３１１側の表面に上記ＰＥＴ材質等絶縁部材３３１を貼り付けて、プッシュリベット３１４により両者を締結することができる（ＣＣＤ親基板用ブラケット３０９については後述する図２０参照）。これに代わる代替手法としては、図１８に示すように、ビス３３３が螺合する雌ネジ部を有するＬＤ基板用ブラケット３１１、ブッシュ部材差込用の孔を有するＰＥＴ材質等絶縁部材３３１、ブッシュ部材差込用の孔を有するＣＣＤ親基板用ブラケット３０９、ブッシュ部材３３２をこの順に積層し、上記積層された各部材に対してブッシュ部材３３２の側からビス３３３を通して、このビス３３３をＬＤ基板用ブラケット３１１の雌ネジ部に螺合させて締結するようにしてもよい。なお、ＣＣＤ親基板用ブラケット３０９の孔にブッシュ部材３３２の凸部を嵌合させた後に上記ビス３３３による締結を行なうが、この場合、ブッシュ部材３３２の嵌合長ｔ１をＣＣＤ親基板用ブラケット３０９の厚さｔ２以下にする。
【００９４】
また、ＣＣＤ親基板用ブラケット３０９およびＬＤ基板用ブラケット３１１は、図１６のＸ方向の両端２箇所でプッシュリベット３１４により締結されているが、ＣＣＤ親基板用ブラケット３０９の片側はその孔が半円抜き形状となっており、かつ両ブラケットとも片側が図中矢印−Ｚ方向に曲げを入れた形状となっている。上記孔形状を半円としているのは、締結部の交差逃げの効果があるのと同時に、両ブラケット間に熱膨張差が発生しても、プッシュリベット３１４で簡略締結されたまま逃げることができ、その結果ブラケットや回路基板に余計な応力が発生することを防ぐようにしている。また、上記曲げが入っているのは、ＬＤ基板用ブラケット３１１のブリッジ部３１１Ｇがプッシュリベット３１４を挿入する作業の妨げになるため、上記ブリッジ部３１１Ｇを避けて作業ができるようにするためであり、この曲げを入れたことによりプッシュリベットを斜めから挿入することができ組立て性を向上している。これは、上記ビス３３３とブッシュ部材３３２とを用いた他の締結手法を採用した場合であっても同様である。
【００９５】
また、ＣＣＤ親基板用ブラケット３０９、ＬＤ基板用ブラケット３１１をプッシュリベット３１４で簡略締結する際には、図中矢印−Ｘ方向側のＣＣＤ親基板用ブラケット３０９の凸部をブリッジ部３１１Ｇにくぐらせた上で、この凸部を上記締結位置よりもさらに図中矢印−Ｘ方向に移動させ、つづいて、図中矢印＋Ｘ方向側のＣＣＤ親基板用ブラケット３０９の凸部を図中矢印＋Ｘ方向側のブリッジ部３１１Ｇにくぐらせた上で、ＣＣＤ親基板用ブラケット３０９を上記締結位置に位置させ、その後、プッシュリベット３１４を挿入して締結を実施するようにする（図１６および図２０参照）。
【００９６】
図１９は図１６に示すスキャナヘッドの一部分を拡大して示した斜視図である。１９に示すように、ハーネス押えブラケット３１５は、上述した１０枚のＦＦＣケーブル３１３のうち、６枚のケーブルが手前（図中矢印＋Ｚ方向）や下側（図中矢印−Ｙ方向）に想定以上に暴れることがないよう規制するための部材である。このハーネス押えブラケット３１５の締結部３１５Ｈは、ビスの平座金よりも大きい絞り部分を規制部材に加工し、その略中央にピスを通すための孔を設けておき、この絞り部分の厚さ分のスペースにケーブル３３５を通し、これらのケーブル３３５に無理な負荷をかけることなく上記ケーブル３３５の位置規制を達成している。
【００９７】
図２０は、上記図１６に示すスキャナヘッド２３０からＣＣＤ親基板３０８、ＬＤ回路基板３１０、およびＦＦＣケーブル３１３等を取り外した状態を示す斜視図である。
【００９８】
ここで、ＣＣＤ親基板用ブラケット３０９にはＬＤの位置に対応した数の孔３３７があり、これはＬＤの電気配線用の足が、このＣＣＤ親基板用ブラケット３０９と接触することを防ぐための対応である。
【００９９】
図２１は、上記図２０に示すスキャナヘッド２３０からさらにＣＣＤ親基板用ブラケット３０９、ＬＤ基板用ブラケット３１１、フェライトコア３１２、プッシュリベット３１４、ハーネス押えブラケット３１５等を取り外した状態を示す斜視図である。
【０１００】
スキャナヘッド２３０は、２４個のＬＤアッシー３１６を取り付けた励起光源部３４０と、ＣＣＤステー３１７Ａ、３１７Ｂおよびフレーム側板３１８Ａ、３１８Ｂから構成されるメインフレームを持った画像検出部３５０に分けることができるが、この励起光源部３４０と画像検出部３５０の位置決めは、図２１中の位置決めブラケット３１９Ａ、３１９Ｂを介して実施している。励起光源部３４０と画像検出部３５０は、各々が組立て時に冶具を用いて位置を調整するが、互いの取付け面の寸法精度に影響されて締結部にネジレ効果が働く場合があるため、決め穴のみで位置出しすることは困難になる。よって、励起光源部３４０および画像検出部３５０それぞれの取付けの基準位置をこの位置決めブラケット３１９の取付面とし、この基準位置である取付面に対して励起光源部３４０の位置と画像検出部３５０の位置とを各々の冶具を用いて調整する。最終的には、調整されたユニット通しが取り付けられるため、この位置決めブラケット３１９Ａ、３１９Ｂを介して励起光源部３４０と画像検出部３５０との位置関係を定めることができる。また、予め上記基準位置である取付面に対して励起光源部３４０と画像検出部３５０をオフセットさせるか、あるいは励起光源部３４０と画像検出部３５０のそれぞれをビスを介して個別に位置決めブラケット３１９Ａ、３１９Ｂと締結できるようにしておくことで、すなわち、反対側のユニットをブラケットに対して定量スペーサ隙間を空けることで、ユーザの使用中に何らかの理由で励起光源部３４０または画像検出部３５０に位置ズレが発生しても、この装置をメンテナンスするサービスマン等が上記位置ズレを容易に修正することができる。
【０１０１】
図２２はＬＤとＣＣＤラインセンサとの位置関係を概略的に示す図である。励起光源部３４０で２４個のＬＤを使用し、画像検出部３５０で５つのＣＣＤラインセンサを使用していることは前述の通りであるが、図２２は、ＬＤがそれぞれ配設された２４個のＬＤアッシー３１６と５つのＣＣＤラインセンサ３５１の位置関係を概略的に示したものであり、この配置により、４２９．６ｍｍの幅にわたって主走査方向の有効画像取得領域を確保している。
【０１０２】
図２３は励起光源部３４０の２４個のＬＤアッシー３１６とその基台３２０を示す斜視図である。この実施例では、４つのＬＤアッシー３１６で一つのグループを形成しており、各グループ３１６Ａ、３１６Ｂ、３１６Ｃ、３１６Ｄ、３１６Ｅ、３１６Ｆそれぞれを一つのフレキシブルＬＤ用回路基板で駆動している。ここでは、フレキシプルＬＤ用回路基板（図示は省略）を６枚使用した形態となっているが、主走査方向（図中矢印Ｘ方向）に画像取得領域を十分に確保できる系とすればよく、使用する各部品の数は上記数量に限定されるものではない。
【０１０３】
さらに、上記６枚のフレキシブルＬＤ用回路基板のそれぞれには一つの温度センサを取り付け可能であり、この励起光源部３４０全体で６つの温度センサを取り付けることが可能となっている。本実施例の場合は、励起光源部３４０にその半分の３つの温度センサを取り付けて、すなわち３つのフレキシブルＬＤ用回路基板に温度センサを取り付けてＬＤ３２８の温度をモニタし、ある温度を超えた場合にはこれをトリガとしてエラー表示させ、ＬＤ３２８の駆動をストップした上で装置全体の動作を止めることも可能としている。これにより、異常高温環境においてＬＤが駆動された場合でも、ＬＤキンク発生を防止することができる。
【０１０４】
図２４は、図２３におけるＬＤアッシーの近傍を拡大して示す斜視図であり、上記温度センサ３２２の取付け位置を概略的に示している図である。ＬＤ３２８は、ＬＤフィン３２１における孔部３４１に図中矢印−Ｚ方向にレーザビームが射出される向きとなるように圧入されている。設計仕様になるが、本実施例でのＬＤフィン３２１の主走査方向（図中矢印Ｘ方向）の長さＬ１と、隣り合うＬＤフィン３２１間の隙間Ｌ２の寸法についても図中に示している。なお、この隙間Ｌ２は組調後のメンテナンスにおいてＬＤ３２８を交換する際に、位置調整する上で必要なスペースを確保するため、その寸法は３ｍｍ以上であることが望ましい。
【０１０５】
図２５は、上記励起光源部３４０を−Ｚ方向の側から見た斜視図である。２４個のＬＤアッシー３１６のうち、３箇所に温度センサ３２２装備しているが、これはＬＤフィン３２１の横に接着剤によって取り付けられている。各ＬＤアッシー３１６には、ＬＤ３２８以外の光学素子として、シリンドリカルレンズ３２３、ビームスプリッタ３２４、トーリックレンズ３２５が配置されている。これら３つの光学素子は接着により互いに接合されており、これら互いに接合された上記３つの光学素子がガラス台３２６上に接着され、さらに、このガラス台３２６がＬＤフィン３２１に接着されている。上記構成により各ＬＤ３２８それぞれに対して個別に光軸調整を実施することができる。なお、これらのＬＤ３２８はＡＰＣ駆動しているが、そのためのフォトダイオード３２７は、ビームスプリッタ３２４に直接接着されている。
【０１０６】
なお、温度センサ３２２およびフォトダイオード３２７の駆動は、上述のフレキシブルＬＤ用回路基板を通して信号の入出力が実施され、各リード線と基板はハンダで接合されている。
【０１０７】
図２６は、図２１に示すスキャナヘッド２３０からさらに励起光源部３４０を取り外した、画像検出部の主要な部品を示す斜視図である。図２７は図２６に示す画像検出部の一部分を拡大して示す斜視図である。
【０１０８】
画像検出部３５０には、５つのＣＣＤラインセンサ３５１が千鳥状に配置されており、ＣＣＤ親基板３０８がこれら５つのＣＣＤラインセンサ３５１を駆動していることは上述しているが、この画像検出部３５０には、各ＣＣＤラインセンサ３５１に対応するＣＣＤ子基板３２９Ａ、３２９Ｂからなる５つのＣＣＤ子基板が配置されている。これらのＣＣＤ子基板３２９Ａ、ＣＣＤ子基板３２９Ｂは、基板内の構成は同等であるが取付け向きが異なるので、この取付の向きに応じてコネクタ位置が反転しており、勝手違いの形状となっている。
【０１０９】
各ＣＣＤラインセンサ３５１は、上記ＣＣＤ子基板３２９Ａ、３２９Ｂとハンダで接合されているが、上記各ＣＣＤ子基板３２９Ａ、３２９Ｂは前述のＦＦＣケーブル３１３を通してＣＣＤ親基板３０８に接続されている。
【０１１０】
図２８は励起光の照射を受けてイメージングプレートから発生した輝尽発光光がＣＣＤラインセンサで検出される経路を示した図であり、図２８（ａ）は平面図、図２８（ｂ）は側面図である。図２９は励起光の照射を受けてイメージングプレートから発生した輝尽発光光がＣＣＤラインセンサで検出される様子を示す斜視図である。なお、図２８（ａ）および図２９においては励起光源部を省略している。
【０１１１】
複数のＬＤ３２８から射出されたレーザビームが各ＬＤ３２８に対応したトーリックレンズ３２５を通してイメージングプレート２１０上のラインＦに照射され、イメージングプレート２１０上の上記Ｘ方向に延びるラインＦの位置に記録されたＸ線潜像量に応じて発生した輝尽発光光が、結像光学系であるセルフォックレンズアレイ３５２と、励起光カットフィルタ３５３とを通してＣＣＤラインセンサ３５１上に結像される仕組みとなっている。このセルフォックレンズアレイ３５２は長尺タイプであり、本実施例ではこのセルフォックレンズアレイ３５２をチタン製のステーに接着する部分に利用している。
【図面の簡単な説明】
【図１】本発明の第１の実施の形態による放射線像読取装置の概略構成を示す斜視図
【図２】励起光照射部および画像検出部を示す拡大側面図
【図３】励起光照射部および間隔検出部を示す拡大側面図
【図４】励起光照射位置と被結像中心位置とが一致している場合を示す側面図
【図５】励起光照射位置と被結像中心位置とが離れている場合を示す側面図
【図６】本発明の第２の実施の形態による放射線像読取装置の概略構成を示す斜視図
【図７】励起光照射位置と被結像中心位置との間隔ΔＹと検出される輝尽発光光の光量との関係を示す側面図
【図８】撮影読取装置の全体構成を示す図
【図９】イメージングプレートが撮影位置に位置している場合を示す斜視図
【図１０】イメージングプレートが読取位置に位置している場合を示す斜視図
【図１１】イメージングプレートに記録された画像情報を読み取る場合を示す斜視図
【図１２】イメージングプレートを取り外したときの内部構造を示す斜視図
【図１３】ＩＰ位置決め部の概略構成を示す側面図
【図１４】他のＩＰ位置決め部の概略構成を示す側面図
【図１５】スキャナヘッドの概略構成を示す斜視図
【図１６】スキャナヘッドから回路基板カバー等を取り外した状態を示す斜視図
【図１７】プッシュリベットによる締結の様子を示す断面図
【図１８】他の締結手法を示す断面図
【図１９】スキャナヘッドの一部分を拡大して示した斜視図
【図２０】スキャナヘッドから部品を取り外した状態を示す斜視図
【図２１】スキャナヘッドから部品取り外した状態を示す斜視図
【図２２】ＬＤとＣＣＤラインセンサとの位置関係を概略的に示す図
【図２３】励起光源部の２４個のＬＤアッシーとその基台を示す斜視図
【図２４】ＬＤアッシーの近傍を拡大して示した斜視図
【図２５】励起光源部を異なる方向から見た斜視図
【図２６】画像検出部の主要な部品を示した斜視図
【図２７】画像検出部の一部分を拡大して示す斜視図
【図２８】輝尽発光光がＣＣＤラインセンサで検出される様子を示す図
【図２９】輝尽発光光がＣＣＤラインセンサで検出される様子を示す斜視図
【符号の説明】
１０    放射線像変換パネル
２０    励起光照射部
３０    画像検出部
３１    結像光学系
３２    ラインセンサ
５０    移動手段
６０    間隔検出部
７０    間隔調節部
Ｊｏ    励起光照射位置
Ｈｏ    被結像中心位置
【図１】
2004287381.tif 000003
【図２】
2004287381.tif 000004
【図３】
2004287381.tif 000005
【図４】
2004287381.tif 000006
【図５】
2004287381.tif 000007
【図６】
2004287381.tif 000008
【図７】
2004287381.tif 000009
【図８】
2004287381.tif 000010
【図９】
2004287381.tif 000011
【図１０】
2004287381.tif 000012
【図１１】
2004287381.tif 000013
【図１２】
2004287381.tif 000014
【図１３】
2004287381.tif 000015
【図１４】
2004287381.tif 000016
【図１５】
2004287381.tif 000017
【図１６】
2004287381.tif 000018
【図１７】
2004287381.tif 000019
【図１８】
2004287381.tif 000020
【図１９】
2004287381.tif 000021
【図２０】
2004287381.tif 000022
【図２１】
2004287381.tif 000023
【図２２】
2004287381.tif 000024
【図２３】
2004287381.tif 000025
【図２４】
2004287381.tif 000026
【図２５】
2004287381.tif 000027
【図２６】
2004287381.tif 000028
【図２７】
2004287381.tif 000029
【図２８】
2004287381.tif 000030
【図２９】
2004287381.tif 000031